(57)【要約】      （修正有）【課題】短時間で製造することのできる回転検出装置を提供する。【解決手段】回転検出装置１０は、磁気検出素子１１、磁石１２、及び、リード端子１３を支持している検出手段保持部４３、検出手段保持部４３の外周に設けられるシール部材１７、外部コネクタに接続可能な接続部４４、カラーが挿通されているカラー挿通部４１ａ、５１ｄ、を有する第１ハウジング４０と、第１ハウジング４０に嵌合されている第２ハウジング５０と、を有している。第１ハウジング４０と第２ハウジング５０とが、第１と第２のカラ―挿通部４１ａ、５１ｄを嵌合した状態で、シール部材１７を挟み込んでいる。【選択図】図２
2019053076.tif 000002
【特許請求の範囲】
【請求項１】
回転体が回転することにより生ずる磁気変化を検出する磁気検出素子と、この磁気検出素子に磁場を与える磁石と、前記磁気検出素子に接続されたリード端子と、前記磁気検出素子、前記磁石、及び、前記リード端子が収納されたハウジングと、を有する回転検出装置において、
前記磁気検出素子、前記磁石、及び、前記リード端子が配設される検出手段保持部、この検出手段保持部の外周に設けられるシール部材、外部コネクタに接続可能な接続部、取付用のカラーが挿通されているカラー挿通部、を有する第１ハウジングと、
この第１ハウジングに嵌合され有底筒状の回転体対向部を有する第２ハウジングと、を有し、
前記第１ハウジングと前記第２ハウジングとによって、前記カラ―挿通部を嵌合した状態で前記シール部材を挟み込んでいることを特徴とする回転検出装置。
【請求項２】
前記第１ハウジング、又は、前記第２ハウジングの一方に係止爪が形成されていると共に、他方に前記係止爪が係止される係止孔が形成されていることを特徴とする請求項１記載の回転検出装置。
【請求項３】
前記検出手段保持部に取り付けられ前記第２ハウジングに向かって突出する中ケースをさらに有し、
前記磁気検出素子、前記磁石、及び、前記リード端子は、前記中ケースに取り付けられていることを特徴とする請求項１又は請求項２記載の回転検出装置。
【請求項４】
前記第２ハウジングのカラー挿通部は、少なくとも前記カラーの外周に沿う周壁部が円弧状に形成されていることを特徴とする請求項１〜請求項３のいずれか１項記載の回転検出装置。
【発明の詳細な説明】
【技術分野】
【０００１】
本発明は、改良された回転検出装置に関する。
【背景技術】
【０００２】
例えば、二輪車の前輪の車軸近傍に回転検出装置が設けられる。回転検出装置によって検出した前輪の回転数から、二輪車の車速を計測することができる。このような回転検出装置に関する従来技術として、特許文献１に開示される技術がある。
【０００３】
特許文献１に示されるような、回転検出装置は、有底筒状のケースの底部に磁気検出素子、及び、磁石を配置し、ケース内に樹脂を充填して磁気検出素子、及び、磁石をケース内に埋設してなる。
【０００４】
磁気検出素子等の部品は、充填された樹脂によってケース内に固定されている。磁気検出素子等の部品が振動の影響によりケース内で変位することを抑制し、検出精度を高めることができる。
【０００５】
しかし、このような回転検出装置によれば、充填した樹脂を硬化させることが必要であり、回転検出装置を製造するための作業が長時間化する。
【先行技術文献】
【特許文献】
【０００６】
【特許文献１】特開２００８−１６４４３９号公報
【発明の概要】
【発明が解決しようとする課題】
【０００７】
本発明は、短時間で製造することのできる回転検出装置の提供を課題とする。
【課題を解決するための手段】
【０００８】
請求項１による本発明によれば、回転体が回転することにより生ずる磁気変化を検出する磁気検出素子と、この磁気検出素子に磁場を与える磁石と、前記磁気検出素子に接続されたリード端子と、前記磁気検出素子、前記磁石、及び、前記リード端子が収納されたハウジングと、を有する回転検出装置において、
前記磁気検出素子、前記磁石、及び、前記リード端子が配設されている検出手段保持部、この検出手段保持部の外周に設けられるシール部材、外部コネクタに接続可能な接続部、取付用のカラーが挿通されているカラー挿通部、を有する第１ハウジングと、
この第１ハウジングに嵌合され前記有底筒状の回転体対向部を有する第２ハウジングと、を有し、
前記第１ハウジングと前記第２ハウジングとによって、前記カラ―挿通部を嵌合した状態で前記シール部材を挟み込んでいることを特徴とする回転検出装置が提供される。
【０００９】
請求項２による発明によれば、前記第１ハウジング、又は、前記第２ハウジングの一方に係止爪が形成されていると共に、他方に前記係止爪が係止される係止孔が形成されている。
【００１０】
請求項３による発明によれば、前記検出手段保持部に取り付けられ前記第２ハウジングに向かって突出する中ケースをさらに有し、
前記磁気検出素子、前記磁石、及び、前記リード端子は、前記中ケースに取り付けられている。
【００１１】
請求項４による発明によれば、前記第２ハウジングのカラー挿通部は、少なくとも前記カラーの外周に沿う周壁部が円弧状に形成されている。
【発明の効果】
【００１２】
請求項１による発明では、磁気検出素子、磁石、及び、リード端子は、第１ハウジングに設けられた検出手段保持部の外周にシール部材が設けられ、第１ハウジングと第２ハウジングのカラ―挿通部を嵌合した状態で前記シール部材を挟み込んでいる。第１ハウジングと第２ハウジングの嵌合時にカラ―挿通部（４１a、５１d）を嵌合した状態でシール部材が挟持されているので、振動による変位を抑制することができる。磁気検出素子等の部品の変位を抑制するのに、樹脂を充填する必要がない構成とした。このため、樹脂を硬化させる時間が不要となり、短時間で製造することができる回転検出装置を提供することができる。
【００１３】
請求項２による発明では、第１と第２ハウジングに係止孔と係止爪が形成されているので、嵌合した状態を維持でき、取扱い性が向上する。
【００１４】
請求項３による発明では、検出手段保持部には第２ハウジングに向かって突出する中ケースを有するので、検出手段保持部をその分小さくできる。
【００１５】
請求項４による発明では、第２ハウジングのカラ―嵌合部を少なくともカラ―の周壁部に沿う円弧状に形成されるので、嵌合を円滑化できる。
【図面の簡単な説明】
【００１６】
【図１】本発明の実施例による回転検出装置の斜視図である。
【図２】図１に示された回転検出装置の分解斜視図である。
【図３】図２に示された回転検出装置の分解断面図である。
【図４】図１の４−４線断面図である。
【図５】図２の５ａ矢視図及び５ｂ矢視図である。
【図６】図４の６−６線断面図である。
【図７】図６に示された中ケース嵌合部の変更例を説明する図である。
【発明を実施するための形態】
【００１７】
本発明の実施の形態を添付図に基づいて以下に説明する。なお、説明中、左右とは図面を基準として左右、上下とは図面を基準として上下を指す。
＜実施例＞
【００１８】
図１を参照する。回転検出装置１０は、例えば、二輪車の前輪の車軸近傍に設けられる。回転検出装置１０によって検出した前輪の回転数から、二輪車の車速を計測することができる。図面中央上部の部位が車体に取り付けられ、図面右側の部位が外部コネクタに接続される。図面左側の部位は、車軸に対向して配置される。
【００１９】
図２を参照する。回転検出装置１０は、磁気変化を検出する磁気検出素子１１、この磁気検出素子１１に磁場を与える磁石１２、磁気検出素子１１に接続されるリード端子１３が、中ケース２０に取り付けられているとともに、ハウジング３０に収納されてなる。ハウジング３０には、ハウジング３０内部への水の浸入を抑制するためのシール部材１７が設けられている。
【００２０】
図３を参照する。ハウジング３０には、円筒状のカラー１８が取り付けられている。カラー１８は、回転検出装置１０を車体等に取り付ける際にボルトが挿通される部位である。
【００２１】
ハウジング３０は、第１ハウジング４０と、この第１ハウジング４０に嵌合され回転体に対向して配置される第２ハウジング５０と、からなる。第１ハウジング４０、及び、第２ハウジング５０は、共に樹脂成形品である。素材には、ポリブチレンテレフタレート樹脂等、任意の樹脂を採用することができる。
【００２２】
図２を参照する。磁気検出素子１１は、磁石１２に隣接して配置されている検出素子本体部１１ａと、この検出素子本体部１１ａの下部から下方に延びリード端子１３，１３に接触している素子側接触部１１ｂ，１１ｂと、からなる。素子側接触部１１ｂ，１１ｂは、リード端子１３，１３の数に合わせて２カ所に形成されている。
【００２３】
図３を併せて参照する。リード端子１３，１３は、略Ｌ字状を呈する。リード端子１３，１３は、中ケース２０の下面に沿って延びる端子本体部１３ａ，１３ａと、端子本体部１３ａ，１３ａの一端から下方に延び素子側接触部１１ｂ，１１ｂに接触している端子側接触部１３ｂ，１３ｂと、からなる。端子本体部１３ａ，１３ａには、中ケース２０に固定するための端子孔部１３ｃが、それぞれ２つずつ形成されている。
【００２４】
中ケース２０は、磁気検出素子１１及び磁石１２が収納されたケース本体部２１と、このケース本体部２１の左右の側面に形成されケース本体部２１を補強するケースリブ部２２，２２と、ケース本体部２１の先端から第１ハウジング４０に向かって延び先端が第１ハウジング４０に当接しているケース当接部２３と、ケース本体部２１の下面から下方に延び端子孔部１３ｃに挿通されたケースピン部２４，２４と、からなる。ケースピン部２４，２４は、ケース本体部２１に一体的に形成されている。
【００２５】
中ケース２０の素材には、ポリブチレンテレフタレート樹脂等、任意の樹脂を採用することができる。
【００２６】
第１ハウジング４０は、第１ハウジング底板部４１と、この第１ハウジング底板部４１の全周から第２ハウジング５０に向かって延びる第１ハウジング周壁部４２と、この第１ハウジング周壁部４２に囲われた部位において第１ハウジング底板部４１から第２ハウジング５０に向かって延びている中ケース嵌合部４３（検出手段保持部４３）と、第１ハウジング底板部４１に形成され外部コネクタに接続可能な接続部４４と、を有している。
【００２７】
第２ハウジング５０は、第１ハウジング底板部４１及び第１ハウジング周壁部４２が被せられた第２ハウジングベース部５１と、この第２ハウジングベース部５１に一体的に形成された円筒状の第２ハウジング中間部５２と、この第２ハウジング中間部５２に一体的に形成された有底筒状の回転体対向部５３と、からなる。
【００２８】
第１ハウジング底板部４１には、カラー１８が挿通されている第１のカラー挿通孔４１ａ（カラー挿通部４１ａ）と、中ケース嵌合部４３及び接続部４４を連通させリード端子１３が挿通されている端子挿通孔４１ｂと、が形成されている。
【００２９】
第１ハウジング周壁部４２には、第２ハウジング５０が係止される係止孔４２ａが４カ所に形成されている。
【００３０】
中ケース嵌合部４３は、第１ハウジング底板部４１を挟んで接続部４４に繋がっている。即ち、第１ハウジング底板部４１を基準として中ケース嵌合部４３と、接続部４４とは、同じ位置に設けられている。中ケース嵌合部４３は、第１ハウジング底板部４１から第２ハウジング５０に向かって延び、接続部４４は、第１ハウジング底板部４１を始点として第２ハウジング５０から離間するように延びる。
【００３１】
第２ハウジングベース部５１、第２ハウジング中間部５２、及び、回転体対向部５３に連続して中ケース２０を収納するための収納孔Ｈｏが形成されている。この収納孔Ｈｏの外壁は、中ケース２０を囲う周壁ということができる。
【００３２】
周壁のうち、第２ハウジングベース部５１に形成されている部位は、ベース部周壁部５１ａということができる。ベース部周壁部５１ａは、円筒状の中ケース嵌合部４３の外面に沿って円状に形成されている。第２ハウジングベース部５１には、ベース部周壁部５１ａを囲う溝部５１ｂが形成されている。溝部５１ｂは、カラ―挿通孔５１ｄ（カラ―挿通部５１ｄ）の周壁部とベース周壁部５１ａとの間で第１ハウジング４０（第１ハウジング底板部４１）に対向して形成されている。
【００３３】
第２ハウジングベース部５１には、第１ハウジング４０の係止孔４２ａに係止される係止爪５１ｃと、カラー１８が挿通されている第２のカラー挿通孔５１ｄ（カラー挿通部５１ｄ）と、が形成されている。
【００３４】
シール部材１７には、アクリルゴムやシリコーンゴム製のＯリングを採用できる。
【００３５】
なお、中ケース嵌合部４３は、第２ハウジング５０に形成されていてもよい。また、中ケース嵌合部４３は、第１ハウジング４０と、第２ハウジング５０との両方に形成されていてもよい。
【００３６】
係止爪５１ｃは、第１ハウジング４０に設けられていてもよい。このとき、係止孔４２ａは、第２ハウジング５０に設けられる。
【００３７】
回転検出装置の組み立て方法の一例について説明する。まず、中ケース本体部２１に磁気検出素子１１及び磁石１２を収納すると共に、中ケース本体部２１の下面部にリード端子１３を固定する。リード端子１３は、端子孔部１３ｃをケースピン部２４に挿通させてから、中ケース本体部２１に溶着される。
【００３８】
次に、シール部材１７を中ケース嵌合部４３の外周に取り付ける。
【００３９】
次に、磁気検出素子１１、磁石１２、リード端子１３を中ケース２０に組み付けた組立体を、中ケース嵌合部４３に押し込み、嵌合させる。中ケース嵌合部４３に嵌合されることにより、リード端子１３の先端は、接続部４４の内部に臨む。
【００４０】
次に、係止爪５１ｃを係止孔４２ａに押し込むことにより、第１ハウジング４０に第２ハウジング５０を組み付ける。
【００４１】
最後に、カラー１８を第１・第２のカラー挿通孔４１ａ，５１ｄ（カラ―挿通部４１ａ，５１ｄ）に挿通させる。
【００４２】
なお、シール部材１７、及び、カラー１８の組み付けは、任意のタイミングで行うことができる。
【００４３】
以上に説明した本発明の回転検出装置によれば、以下の効果を奏する。
【００４４】
図４を参照する。磁気検出素子１１、磁石１２、及び、リード端子１３が取り付けられた中ケース２０は、第１ハウジング４０に設けられた中ケース嵌合部４３に嵌合されている。磁気検出素子１１等の部品は、中ケース２０を介して中ケース嵌合部４３に固定される。これにより、振動による変位を抑制することができる。磁気検出素子１１等の部品の変位を抑制するのに、樹脂を充填する必要がない構成とした。このため、樹脂を硬化させる時間が不要となり、短時間で製造することができる回転検出装置１０を提供することができる。
【００４５】
さらに、筒形状の中ケース嵌合部４３の外周にはシール部材１７が取り付けられ、シール部材１７は、第１ハウジング４０と、第２ハウジング５０と、によって挟みこまれている。中ケース嵌合部４３の外周において外部から内部への水の浸入を抑制し、回転検出装置１０の長寿命化を図ることができる。
【００４６】
さらに、第２ハウジング５０は、第２ハウジング周壁部５４が形成され第１ハウジング底板部４１、及び、第１ハウジング周壁部４２によって覆われている。回転検出装置１０の外部に存在する水がハウジング３０の内部に浸入する際には、第１ハウジング周壁部４２と第２ハウジング５０との間を通過し、第１ハウジング底板部４１と第２ハウジング５０との間も通過する必要がある。第１ハウジング周壁部４２が存することにより、ハウジング３０内部までの長さが長くなる。これにより、ハウジング３０内部への水の浸入を抑制し、回転検出装置１０の長寿命化を図ることができる。
【００４７】
さらに、第２ハウジング５０には、中ケース嵌合部４３の外周に沿ってベース部周壁部５１ａが形成され、このベース部周壁部５１ａを囲うようにして溝部５１ｂが形成されている。ベース部周壁部５１ａは、中ケース嵌合部４３と共にシール部材１７を挟みこんでいる。溝部５１ｂは、このシール部材１７の外周に形成されている。溝部５１ｂによってハウジング３０内部への水の浸入を抑制することができる。ハウジング３０内部への水の浸入を抑制し、回転検出装置１０の長寿命化を図ることができる。
【００４８】
図２を参照する。第２ハウジング５０に、係止爪５１ｃが設けられていると共に、この係止爪５１ｃを係止可能な係止孔４２ａが第１ハウジング４０に設けられている。第２ハウジング５０の第１ハウジング４０への組付けを簡便にし、回転検出装置１０の製造時間をさらに短縮することができる。
【００４９】
図５（ａ）を参照する。中ケース２０は、磁気検出素子１１が取り付けられたケース本体部２１と、このケース本体部２１に一体的に形成されると共にケース本体部２１を補強するケースリブ部２２，２２と、を有している。中ケース２０の幅は、Ｌ１である。
【００５０】
図５（ｂ）を参照する。中ケース嵌合部４３は、円筒形状を呈している。中ケース嵌合部４３の内径は、Ｌ２である。
【００５１】
図５（ａ）を併せて参照する。このとき、中ケース２０の幅Ｌ１≒中ケース嵌合部４３の内径Ｌ２であり、僅かに中ケース嵌合部４３の内径Ｌ２が大きい。このため、ケースリブ部２２，２２は、中ケース嵌合部４３の内周面に接触する。
【００５２】
図６を参照する。ケースリブ部２２，２２は、中ケース嵌合部４３の内周面に当接している。ケースリブ部２２，２２が中ケース嵌合部４３に当接することにより、ハウジング３０内部での中ケース２０の変位を抑制している。ケース本体部２１を補強するためのケースリブ部２２，２２によって中ケース２０の変位を抑制している。少ない部品点数、且つ、簡便な構成によって中ケース２０の変位を抑制することができ、望ましい。
【００５３】
図７（ａ）及び図７（ｂ）を参照する。図７には、図６に示された中ケース嵌合部の変更例が示されている。ケースリブ部２２，２２は、ケース本体部２１の左右の側面にそれぞれ一体的に形成されていると共に、直方体形状を呈する。中ケース嵌合部４３Ａは、ケースリブ部２２，２２に向かって突出すると共に先端がケースリブ部２２，２２に当接している突出部４３ａを有している。突出部４３ａは、左右のケースリブ部２２，２２の上面、下面、及び、外側面のそれぞれに当接している。多数の部位に当接させることにより、中ケース２０の変位をより確実に抑制することができる。
【００５４】
突出部４３ａは、中ケース２０が中ケース嵌合部４３Ａに嵌合される前の状態において、略Ｖ字状（略三角形状）を呈している。突出部４３ａの強度は、ケースリブ部２２，２２の強度よりも弱い。このため、中ケース２０を中ケース嵌合部４３Ａに嵌合させる際に、突出部４３ａの先端は、ケースリブ部２２，２２によって変形される。即ち、突出部４３ａは、弾性変形した状態でケースリブ部２２，２２に当接している。これにより、ケースリブ部２２，２２に確実に突出部４３ａを当接させている。加えて、製品毎に必然的に生ずる寸法誤差を吸収することができる。
【００５５】
尚、本発明による回転検出装置は、二輪車の前輪に用いられる例を基に説明したが、後輪に用いられてもよく、本発明は、これらの形式のものに限られるものではない。即ち、本発明の作用及び効果を奏する限りにおいて、本発明は、実施例に限定されるものではない。
【産業上の利用可能性】
【００５６】
本発明の回転検出装置は、二輪車の走行速度を検出するのに好適である。
【符号の説明】
【００５７】
１０…回転検出装置
１１…磁気検出素子
１２…磁石
１３…リード端子
１７…シール部材
１８…カラー
２０…中ケース
３０…ハウジング
４０…第１ハウジング
４１…第１ハウジング底板部
４１ａ…カラー挿通部（第１の挿通孔）
４２…第１ハウジング周壁部
４２ａ…係止孔
４３…中ケース嵌合部
４４…接続部
５０…第２ハウジング
５１ｃ…係止爪
５１ｄ…カラー挿通部（第２のカラー挿通孔）
【図１】
2019053076.tif 000003
【図２】
2019053076.tif 000004
【図３】
2019053076.tif 000005
【図４】
2019053076.tif 000006
【図５】
2019053076.tif 000007
【図６】
2019053076.tif 000008
【図７】
2019053076.tif 000009